(57)【特許請求の範囲】
【請求項１】
扉や引き出し等の固定部に取り付けられる手前に角状に突の引き手本体部と、
該引き手本体部の前方溝に嵌め込みにより固定され、一部が引き手本体部の前面から突出する樹脂製のカバー部材とからなり、
該カバー部材は、該引き手本体部に対応する形状のカバー部材本体部と、該カバー部材本体部の把持部であって且つ該前方溝の溝底側に形成されるクッション部とからなり、
該クッション部は、単孔体が多数横並びで連続する多孔体であり、
該単孔体は、該カバー部材本体部から斜め内側下方に延びる左右帯部と、該左右帯部の先端を連結し反先端側に突の底帯部からなる可撓性薄肉であることを特徴とする引き手。
【請求項２】
該底帯部は、該左右帯部の先端を連結し反先端側にアーチ状に突であることを特徴とする請求項１記載の引き手。
【請求項３】
該単孔体は、扁平形状であることを特徴とする請求項１又は２記載の引き手。
【請求項４】
該クッション部の多孔体は、１層であることを特徴とする請求項１〜３のいずれか１項記載の引き手。
【請求項５】
該クッション部は、２個以上、１８個以下の単孔体が多数横並びで連続するものであることを特徴とする請求項１〜４いずれか１項に記載の引き手。
【請求項６】
該カバー部材本体部は、内層と外層の２層構造であり、該外層の樹脂は、該内層の樹脂より柔らかい樹脂であることを特徴とする請求項１〜５のいずれか１項に記載の引き手。
【請求項７】
該引き手本体部は、四角突状の両側端部が取付端面であることを特徴とする請求項１〜６のいずれか１項に記載の引き手。
【請求項８】
該カバー部材の内層の両端は、内側に屈曲して延出する係止部を有することを特徴とする請求項６又は７に記載の引き手。
【発明の詳細な説明】
【技術分野】
【０００１】
本発明は、扉や引き出し等の固定部に取り付けて使用する把持部が直線状の引き手であり、他の建具等に繰り返し激突しても、クッション部の損傷がなく、長期間に亘り使用できる引き手に関するものである。
【背景技術】
【０００２】
扉や引き出し等の固定部に取り付けて使用する引き手としては、引き手が固定部に埋没する埋め込み型引き手と、固定部に一対の取付脚と該両取付脚を連結する把手部とからなる突型引き手（例えば、実開昭６３−５１６１号公報）が知られている。
【０００３】
この中、突型引き手は、固定部から突出しており、例えば引き手を持って勢いよく引き出すと、勢い余って、例えば近くの壁等の他の固定部を傷つけることがある。特に、近年、高級感を付与するため、引き手本体部が金属製のものが多用されており、この場合、特に他の部材への損傷の問題が顕著となる。また、身体の動きや反応が鈍くなってきているお年寄りには、日常の生活において、引き手との意図しない接触などが起こり、怪我の元となっている。また、このようなことを防止するために、クッション材（カバー部材）などを接着剤などで取り付けることも可能ではあるが、接着剤での接着は、経時変化による接着剤の劣化により、あるいは接触によっても剥がれ易いという問題がある。
【０００４】
この問題を解決するものとして、特開２０１４−１５２５６８号公報には、扉や引き出し等の固定部に取り付けられる手前に突状の把手される引き手本体部と、該引き手本体部の前面に嵌め込みにより固定される内層と樹脂製の外層の２層構造のクッション材とからなり、該クッション材の外層が、該引き手本体部の前面から突出している引き手が開示されている。また、特開２０１５-８５０９２号公報には、扉や引き出し等の固定部に取り付けられる手前に突状の引き手本体部と、 該引き手本体部の前面に嵌め込みにより固定される樹脂製のカバー部材とからなり、該カバー部材の長手方向の中央部に、クッション性を付与する切り欠き部または空洞部を形成し、該カバー部材の一部は、該引き手本体部の前面から突出している引き手が開示されている。特開２０１４−１５２５６８号公報や特開２０１５-８５０９２号公報の引き手は、いずれも前方に突のアーチ状であり、引き手本体部からはみ出るカバー部材がクッションとなり、上記問題を解決する。
【先行技術文献】
【特許文献】
【０００５】
【特許文献１】実開昭６３−５１６１号公報
【特許文献２】特開２０１４−１５２５６８号公報
【特許文献３】特開２０１５-８５０９２号公報
【発明の概要】
【発明が解決しようとする課題】
【０００６】
一方、把持部が直線状の手前（前方）に四角突状の引き手は、把持が容易であり好まれている。この引き手は、勢いよく引き出し、例えば近くの壁等の他の固定部に激突すると、引き手の把持部のクッション体の前面全体が壁などに当たる。また、激突する相手部材の形状や位置によっては、把持部のいずれの箇所も作用力を受けることになる。
【０００７】
そして、手前（前方）に四角突の引き手に対して、特開２０１５-８５０９２号公報記載の空洞を適用したものに、前方からの作用力が繰り返し作用すると、空洞部を形成する薄肉部のある一定の箇所において折り曲げ力が繰り返し作用し、その部分に亀裂が入るという問題がある。
【０００８】
従って、本発明の目的は、引き手に対して前方から強い力が繰り返し作用しても、クッション部を構成する多孔体全体が変形して、一定の箇所に折り曲げ力が集中しない引き手を提供することにある。
【課題を解決するための手段】
【０００９】
かかる実情において、本発明者は鋭意検討を行った結果、該引き手本体部に、クッション性を付与する特定形状の可撓性の多孔体を形成した樹脂製カバー部材を嵌め込めば、引き手に対して前方から力が繰り返し作用しても、多孔体の変形が特定方向にならず、自由変形して、一定の箇所に折り曲げ力が集中しないこと等を見出し、本発明を完成するに至った。
【００１０】
すなわち、本発明は、扉や引き出し等の固定部に取り付けられる手前に角状に突の引き手本体部と、該引き手本体部の前方溝に嵌め込みにより固定され、一部が引き手本体部の前面から突出する樹脂製のカバー部材とからなり、該カバー部材は、該引き手本体部に対応する形状のカバー部材本体部と、該カバー部材本体部の把持部であって且つ該前方溝の溝底側に形成されるクッション部とからなり、該クッション部は、単孔体が多数横並びで連続する多孔体であり、該単孔体は、該カバー部材本体部から斜め内側下方に延びる左右帯部と、該左右帯部の先端を連結し反先端側に突の底帯部からなる可撓性薄肉であることを特徴とする引き手を提供するものである。
【００１１】
また、本発明は、該底帯部は、該左右帯部の先端を連結し反先端側にアーチ状に突であることを特徴とする前記引き手を提供するものである。
【００１２】
また、本発明は、該単孔体は、扁平形状であることを特徴とする前記引き手を提供するものである。
【００１３】
また、本発明は、該クッション部の多孔体は、１層であることを特徴とする前記引き手を提供するものである。
【００１４】
また、本発明は、該クッション部は、２個以上、１８個以下の単孔体が多数横並びで連続するものであることを特徴とする前記引き手を提供するものである。
【００１５】
また、本発明は、該カバー部材本体部は、内層と外層の２層構造であり、該外層の樹脂は、該内層の樹脂より柔らかい樹脂であることを特徴とする引き手を提供するものである。
【００１６】
また、本発明は、該引き手本体部は、四角突状の両側端部が取付端面であることを特徴とする前記引き手を提供するものである。
【００１７】
また、本発明は、該カバー部材の内層の両端は、内側に屈曲して延出する係止部を有することを特徴とする前記引き手を提供するものである。
【発明の効果】
【００１８】
本発明は、引き手に対して前方から力が繰り返し作用しても、単孔体の変形が特定方向にならず、潰れる部分も丸く変形して、一定の箇所に折り曲げ力が集中しない。このため、長期間の使用に際し、クッション部のヘタリや損傷が起きず、長期間安全に使用できる。また、従来と同様に、カバー部材の取り付けが容易で剥がれ難く、他の建具等に激突しても、傷付けることがなく、人が接触しても安全である。
【図面の簡単な説明】
【００１９】
【図１】本発明の第１の実施の形態における引き手の斜視図である。
【図２】図１の引き手の分解斜視図である。
【図３】図１の引き手の左側面図である。
【図４】図１の引き手の平面図である。
【図５】図１の引き手の正面図である。
【図６】図１の引き手の背面図である。
【図７】（Ａ）は図５のＸ１−Ｘ１線に沿って見た拡大端面図であり、（Ｂ）は図５のＸ２−Ｘ２線に沿って見た拡大端面図である。
【図８】引き手本体部の背面図である。
【図９】引き手本体部の正面図である。
【図１０】図９のＹ−Ｙ線に沿って見た断面図である。
【図１１】カバー部材の平面図である。
【図１２】引き手本体部にカバー部材を嵌める様子を説明する図である。
【図１３】引き手の断面図である。
【図１４】（Ａ）カバー部材の平面図であり、（Ｂ）カバー部材のクッション部が潰れた状態を示す図である。
【図１５】カバー部材の変形例を示す平面図である。
【図１６】図１５のＺ１−Ｚ１線に沿って見た端面図、（Ｂ）は図１５のＺ２−Ｚ２線に沿って見た端面図である。
【図１７】カバー部材の他の変形例を示す図である。
【図１８】カバー部材の他の変形例を示す図である。
【図１９】従来のカバー部材のクッション作用を説明する図である。
【発明を実施するための形態】
【００２０】
本発明の第１の実施の形態における引き手を図１〜図１４を参照して説明する。引き手１０は、扉や引き出し等の固定部５０に螺子４０により取り付けられるものである。扉としては、引き扉、上げ扉および回転扉等が挙げられる。この中、回転扉が本発明の効果が顕著に表われる。また、引き出しとしては、手前に引き出すものなど種々の形態のものが挙げられる。
【００２１】
引き手１０は、手前に突状の引き手本体部１を有する。引き手本体部１は、手前に角状に突であり、扉等の表面に平行で直線状に延びる把持部と、把持部の両端から直角に屈曲して扉等の表面側に延びる両側脚部とからなる。これにより、引き手本体部１と固定部５０間に隙間３を形成し、この隙間３に指が入り、引き手本体部１を把手可能としている。引き手本体部１の両側脚部の端部が取付端面１５であり、正面視が略長方形状である。
【００２２】
引き手本体部１は、金属製のものが本発明の効果を顕著に発揮する。金属としては、特に制限されず、亜鉛ダイキャスト、真鍮およびステンレス等またはこれらの表面仕上げ物が挙げられる。なお、金属には、例えばプラスチックなどの表面にクロムメッキされたメッキものも含まれる。引き手本体部１を金属製とすることで、使い勝手がよくなり、安定して長期間使用可能となる。
【００２３】
引き手本体部１の前面には、くり抜き状の溝１４が形成されている。すなわち、くり抜き状の溝１４は、一方の端部から他方の端部にかけて所定の幅ｗ２、所定深さｈの平面視が角状の溝である（図９及び図１０）。従って、くり抜き状の溝１４を形成する上下両部は、引き手本体部１の上下部を形成する上壁部１１ａ、下壁部１１ｂとなっている。また、くり抜き状の溝１４の両脚部には、螺子孔１２が形成されている。螺子孔１２を有する螺子孔部の下端１４２は脚部の下端より先端側にあり、これにカバー部材２の係止部２２１が係止する。これにより、カバー部材２を嵌め込んだ際、カバー部材２の端面は、螺子部の下端１４２に係止すると共に、引き手本体部１の取付端面１５と面一となり、取付けの際、支障となることがない。一方、引き手本体部１の前面が、カバー部材２の一部（前面側）が出っ歯となるため、他の建具等に激突しても、傷付けることがなく、人が接触しても安全である。引き手本体部１の厚みｗ１に対するくり抜き状の溝幅ｗ２の比、ｗ２/ｗ１としては、概ね、０．５〜０．７、好ましくは、０．６である。
【００２４】
また、螺子孔１２は、螺子４０を固定部５０の裏側から前方へ前進させることにより、螺子孔１２と螺合し、固定部５０と引き手本体部１が固定される。なお、螺子長さは、螺子先端がカバー部材２に接触するか接触しない程度の長さであればよい。
【００２５】
引き手１０は、引き手本体部１の前面、好ましくは前面の全体に嵌め込みにより固定される樹脂製のカバー部材２を備える。すなわち、引き手本体部１の前面とは、端部を除く、把持部と両側脚部を言う。カバー部材２は、引き手本体部１に対応する形状のカバー部材本体部２４と、カバー部材本体部２４の把持部であって且つ前方溝の溝底側に形成されるクッション部２５を有する。すなわち、カバー部材２は、くり抜き状の溝１４に嵌め込まれ、引き手本体部１の前面からカバー部材本体部２４の一部が出っ歯として突出することになる。すなわち、固定部５０から突出する部分の前端は全て、カバー部材２が表われることになる。これにより、人が接触することで、怪我をすることがない。なお、引き手本体部１の前面から突出するカバー部材２の出っ歯の長さは、２ｍｍ程度で十分である。また、カバー部材２のクッション部２５の下端は、くり抜き状の溝１４の溝底に当接している。これにより、出っ歯部に物体が当たっても、クッション部２５が変形してクッション性を発揮する。また、カバー部材２の両脚部である係止部２２１には螺子が通る螺子孔が形成されている。
【００２６】
クッション部２５は、単孔体２６が多数横並びで連続する多孔体であり、単孔体２６は、カバー部材本体部２４から斜め内側下方に延びる左右帯部２６１、２６１と、左右帯部２６１、２６１の先端を連結し反先端側にアーチ状に突の底帯部２６２からなる可撓性薄肉である。すなわち、単孔体２６の平面視形状は、略Ｗ字形状であり、Ｗ字の中央の逆さＶ字が、略逆さＵ字となったものである。略逆さＵ字の「略」としたのは、Ｕ字形状より高さが低いからである。すなわち、中央のアーチの高さは概ね１ｍｍ前後でよい。すなわち、単孔体２６の「孔」は貫通孔であり、単孔体２６は扁平形状とするのが好ましい。また、クッション部２５の多孔体は１層であればよく、更に、クッション部２５は、２個以上、１８個以下の単孔体が多数横並びで連続するものが好ましい。すなわち、多孔体は、扁平状の貫通孔が横並びで連続するものである。これにより、強度を保持しつつクッション性を高めることができる。クッション部２５は後述の軟質樹脂とすることが好ましい。また、左右帯部２６１、２６１及び底帯部２６２の帯幅は、カバー部材本体部２４の幅と同じであり、くり抜き状の溝１４の溝幅とほとんど同じである。また、左右帯部２６１、２６１及び底帯部２６２の厚み（薄肉）は、１ｍｍ前後でよい。可撓性とは、カバー部材本体部２４とクッション部２５を指で摘んだ際、クッション部２５が変形するようなものを言う。
【００２７】
クッション部２５のクッション作用を図１４を参照して説明する。図１４（Ａ）は外力が作用する前のカバー部材であり、（Ｂ）は外力が作用しクッション部２５が潰れた後のカバー部材である。引き手１０において、カバー部材本体部２４の把持部の出っ歯に一様に外力Ｐが作用すると、クッション部２５はカバー部材本体部２４と引き手本体部１の溝底の双方から押されて、図１４の（Ｂ）のように変形する。この際、クッション部２５の単孔体２６は、左右帯部２６１、２６１が、カバー部材本体部２４から下方斜め内側に延びているため、外力Ｐがカバー部材２に対して直角又は斜め方向に作用しても、単孔体２６形状が潰れるように変形する。すなわち、左右帯部２６１、２６１が、更に内側に撓んで、底帯部２６２をカバー部材２側に押し上げる。元々、底帯部２６２はカバー部材２側に突であり、外力に対して必ず先端側（図１４中、上方側）に変形する。そして、更に強く押し込まれると、底帯部２６２は、カバー部材２の裏面に当接する。この際、単孔体２６は、溝底面の２箇所で接する接地点２６３、２６４及びカバー部材２の裏面で接する接地点２６５は、いずれもその角部が丸み形状となるため、鋭角な折り曲げ箇所が生じない。このように、引き手１０に対して前方から力が繰り返し作用しても、単孔体２６及びこれの連続体である多孔体２５は、一定の箇所に折り曲げ力が集中しないような変形をする。このため、長期間の使用に際し、クッション部のヘタリや損傷が起きず、長期間安全に使用できる。
【００２８】
これに対して、例えば、図１９に示す従来例のカバー部材のクッション作用について説明する。図１９のカバー部材２００は、四角形の貫通孔２０１が長手方向に連続するものである。すなわち、カバー部材２００に外力が作用すると、貫通孔２０１が潰れて変形しクッション性を示す。カバー部材２００において、隣接する貫通孔２０１を区画するのは、カバー部材本体部の長手方向に直交する方向に延びる板状の壁２０２である。このため、カバー部材２００に外力Ｐが作用すると、板状の壁２０２は必ず、どちらか一方に倒れるように撓み、貫通孔２０１は潰れる。この場合、カバー部材２００の変形が長手方向に大きく動き、脚部の係止が外れることがある。
【００２９】
カバー部材２の樹脂としては、曲げ弾性率が１．８ＧＰａ以上、好適には２．０ＧＰａ以上であることが、バネ力が強く、十分な嵌合強度が得られる点で好ましい。樹脂としては、アクリロニトリル・ブタジエン・スチレン（ＡＢＳ）樹脂、ポリアセタール及びナイロンなどが挙げられ、具体例としては、ジュラコン「Ｍ９０-４４」；曲げ弾性率２．６ＧＰａ（ポリプラスチックス社製）、ユピタール「Ｆ２０」；曲げ弾性率２．６ＧＰａ（三菱エンジニアリングプラスチックス社製）、タナジン「ＴＮ５００」；曲げ弾性率２．５ＧＰａ（高安社製）、タナジン「ＴＮ７１０」；曲げ弾性率２．９ＧＰａ（高安社製）が挙げられる。
【００３０】
カバー部材２は、図１１及び図１２に示すように、全体が引き手本体部１の形状と類似の形状をしており、両端部が、内側に延びる係止部２２１となっている。これにより引き手本体部１の係止部１４２に係止すると共に、螺子４０で固定される。また、なお、カバー部材２は、弾性体であり、バネ力に抗して両側を広げることで、両端の係止部２２１間が広がる。すなわち、引き手本体部１のくり抜き状の溝１４にカバー部材２を手で強く押し込むことで、当初の係止部２２１間距離が広がり、嵌った後は、復元することで、両者は一体化することになる。すなわち、カバー部材２の弾性度は、手の強い力でやっと変形するような弾性である。これにより、嵌合後、容易には外れない。
【００３１】
カバー部材本体部２４とクッション部材２５は、一体成型されたものでも、両者が別部材であって、カバー部材本体部２４とクッション部材を接着材又は両面テープで貼付したものであってもよい。この中、カバー部材本体部２４とクッション部材２５が一体成型されたものが好ましい。
【００３２】
次に、引き手１０の組み付け方法を図１２及び図１３を参照して説明する。なお、図１２及び図１３においては、引き手本体部１とカバー部材２の係合状態を判り易くするため、引き手本体部１は図１０に示すような断面で示した。先ず、引き手本体部１の前側から一対の係止部２２１側を引き手本体部１側に向けたカバー部材２を、くり抜き状の溝１４に嵌め込む。この際、一対の係止部２２１間の距離は、くり抜き状の溝１４の最大長さより小であるため、カバー部材２を、くり抜き状の溝１４に嵌め込み途中では、図１３のように、一対の係止部２２１の先端が、くり抜き状の溝１４の両端近傍の溝底面１４１に当接することになる。この状態から、カバー部材２をバネ力に抗して、引き手本体部１側へ強く、押しつけて嵌合させる。これにより、当初の係止部２２１間距離が広がり、カバー部材２がくり抜き状の溝１４に嵌った後は、復元することで、両者は強く嵌合し一体化することになる（図１３）。また、カバー部材２のクッション部２５の下端は、くり抜き状の溝１４の溝底に当接している。これにより、出っ歯のカバー部本体部２４に物体が当たっても、クッション部２５が変形してクッション性を発揮する。
【００３３】
カバー部本体部２４は、図１５に示すように、内層２２と樹脂製の外層２１の２層構造のものであってもよい。２層構造における内層２２及び外層２１の嵌合形態としては、例えば、図１６に示すような形態が挙げられる。すなわち、内層２２は、基部２２３と基部２２３の中央から上方に茸状に突出する突起部２２４からなり、外層２１は、内層２２の突起部２２４の形状がくり抜かれた凹状となっている。これにより、内層２２と外層２１の嵌合強度が向上する。  
【００３４】
カバー部材２ｂは、内層２２が硬質樹脂又は金属、外層２１が硬質樹脂より柔らかい樹脂（以下、「軟質樹脂」とも言う。）が好ましく、特に好ましくは、内層２２が硬質樹脂、外層２１が軟質樹脂である。これにより、固定側で強く嵌めることができ、突出する側でクッション性が高まることになる。また、クッション部２５は、把持部における内層の内側に形成されるが、外層２１と連続した一体物であってもよい。クッション部２５は軟質樹脂が使用されるからである。硬質樹脂としては、上記カバー部材２の樹脂と同様のものが使用できる。また、軟質樹脂としては、シリコーン樹脂（ＳＩ）、ポリウレタン樹脂（ＰＵＲ）、塩化ビニル樹脂（ＰＶＣ）、エチレン酢酸ビニル共重合樹脂（ＥＶＡ）、ＥＥＡ樹脂（ＥＥＡ）、熱可塑性ポリウレタンエラストマー（ＴＰＵ）、熱可塑性エラストマー（ＴＰＥ）が挙げられる。軟質樹脂の硬度は、ショア硬度で４０〜９０、好ましくは５０〜８０である。硬質樹脂２２と軟質樹脂２１の接着は、樹脂同士の成型により一体化することができる。硬質樹脂としてＡＢＳ樹脂を、軟質樹脂として軟質エラストマーを使用すれば、樹脂同士の成型による接着性が向上する点で好ましい。内層２２の厚みは硬質樹脂を使用するため、外層２１より薄くできる。すなわち、内層２２の厚みは、外層２１の１/６〜１/２であればよい。
【００３５】
カバー部材２ｂは、カバー部材２と同様に、全体が引き手本体部１の形状と類似の形状をしており、両端部が、内側に延びる係止部２２１となっている（図１５）。そして、内層である硬質樹脂は、把持部から屈曲して脚部の途中まで延びて係止爪２１９となっている。これにより引き手本体部１の先端側の係止部１４３に強く係止することができる。一方、軟質樹脂２１は、硬質樹脂２２の外周に積層されている。これにより、硬質樹脂２２と軟質樹脂２１の端面は面一となり、外側は軟質樹脂となる。なお、カバー部材２ｂは、カバー部材２と同様の取り付けの作用効果を奏する（図１５）。
【００３６】
本発明において、クッション部２５は種々の変形を採ることができる。すなわち、単孔体を構成する左右帯部は、図１３に示すような斜め直線状に延びるものに限定されず、図１７に示すような円弧状であってもよい。また、単孔体を構成する底帯部は、図１３に示すような反先端側にアーチ状に突に限定されず、図１８に示すように、反先端側に逆さＶ字状に突であってもよい。また、単孔体を構成する左右帯部は、図１３に示すように、カバー部材本体部から直接、延びるようなものに限定されず、カバー部材本体部から先端側に僅かに（１ｍｍ以内）垂下する部材を介するものであってもよい。この場合、左右帯部は垂下部材の先端から斜め方向に延びることになる。このような形態は、図１５において、２層を構成する内層２２が無い場合の単孔体と同じ形状となる。また、引き手本体部１の前面から突出するのは、外層の一部に限らず、外層の全部が突出していてもよい。
【産業上の利用可能性】
【００３７】
本発明の引き手１０によれば、例えば回転扉の引き手を手前に引いた際、勢い余って、隣接の他の建て具に衝突したとしても、引き手１０のカバー部材２が当たるため、衝突を緩和する作用により、他の建て具を傷つけることがない。また、お年寄りの手や足に引き手１０が触れたとしても、カバー部材が当たるため、お年寄りを傷つけることがない。また、引き手に対して前方から力が繰り返し作用しても、単孔体の変形が特定方向にならず、潰れる部分も丸く変形して、一定の箇所に折り曲げ力が集中しない。このため、長期間の使用に際し、クッション部のヘタリや損傷が起きず、長期間安全に使用できる。
【符号の説明】
【００３８】
１      引き手本体部
２、２ａ〜２ｄ      カバー部材
３    指が入る隙間
１０    引き手
１１ａ  上壁部
１１ｂ  下壁部
１４    くり抜き状の溝
１５    取付端面
２４    カバー部材本体部
２５    クッション部
５０    固定部
【図１】
0006533712.tif 000002
【図２】
0006533712.tif 000003
【図３】
0006533712.tif 000004
【図４】
0006533712.tif 000005
【図５】
0006533712.tif 000006
【図６】
0006533712.tif 000007
【図７】
0006533712.tif 000008
【図８】
0006533712.tif 000009
【図９】
0006533712.tif 000010
【図１０】
0006533712.tif 000011
【図１１】
0006533712.tif 000012
【図１２】
0006533712.tif 000013
【図１３】
0006533712.tif 000014
【図１４】
0006533712.tif 000015
【図１５】
0006533712.tif 000016
【図１６】
0006533712.tif 000017
【図１７】
0006533712.tif 000018
【図１８】
0006533712.tif 000019
【図１９】
0006533712.tif 000020